(57)【要約】【課題】リードリレーにおいて、リードを保持するブッシングを備えない微小信号用リードリレーを低コストで提供すること及び低コストな実装方法を提供する。【解決手段】本発明によるリードリレーは、リードリレー１００において、両端にリードを備えたリードスイッチ１０１と、リードスイッチを内部に貫通させる静電シールドパイプ１０３と、静電シールドパイプが設置される中空部を備えたコイルボビ１０４と、静電シールドパイプまたはコイルボビンに取り付けられ、リードスイッチを支持するリード保持穴を備えたブッシング１０２ａ，１０２ｂと、ブッシングのリードスイッチへの支持を不能化する不能化手段とを備える。【選択図】図２
2005243551.tif 000002
【特許請求の範囲】
【請求項１】
両端にリードを備えたリードスイッチと、
前記リードスイッチを内部に貫通させる静電シールドパイプと、
前記静電シールドパイプが設置される中空部を備えたコイルボビンと、
前記静電シールドパイプまたは前記コイルボビンに取り付けられ、前記リードスイッチを支持するリード保持穴を備えたブッシングと、
前記ブッシングの前記リードスイッチへの支持を不能化する不能化手段と
を備えたことを特徴とするリードリレー。
【請求項２】
両端にリードを備えたリードスイッチと、
前記リードスイッチの外周を略覆う静電シールドと、
前記リードスイッチを内部に設置する中空部を備えたコイルボビンと、
前記コイルボビンに取り付けられ、前記リードスイッチを支持するリード保持穴を備えたブッシングと、
前記ブッシングの前記リードスイッチへの支持を不能化する不能化手段と
を備えたことを特徴とするリードリレー。
【請求項３】
前記不能化手段は、前記ブッシングに設けられたブッシング取り外し手段を含むことを特徴とする請求項１または２に記載のリードリレー。
【請求項４】
前記ブッシング取り外し手段は、前記ブッシングの外周から前記リード保持穴に達するブッシングに設けられたスリットを備えたことを特徴とする請求項３に記載のリードリレー。
【請求項５】
前記ブッシング取り外し手段は、前記静電シールドパイプの長手方向外側向きに前記ブッシングを引っ張る取っ手を備えたことを特徴とする請求項４に記載のリードリレー。
【請求項６】
前記ブッシング取り外し手段は、前記静電シールドパイプの両開口端部に長手方向内側に向かって設けられたスリットを含むことを特徴とする請求項３記載のリードリレー。
【請求項７】
前記ブッシング取り外し手段は、前記静電シールドパイプの両開口端部の略上半分を、前記ブッシングの幅程度に切り込んで開くための部分的なスリットをを含むことを特徴とする請求項３記載のリードリレー。
【請求項８】
前記不能化手段は、前記リードリレーを基板に設置後に、前記ブッシングに熱又は赤外線を照射する照射手段であり、前記ブッシングは熱収縮性部材又は赤外線収縮性部材で形成されている請求項１または２に記載のリードリレー。
【請求項９】
両端にリードを備えたリードスイッチと、
前記リードスイッチを内部に貫通させる静電シールドパイプと、
前記リードスイッチを支持するリード保持穴を備え、前記静電シールドパイプに仮固定されて、静電シールドパイプ内から除去可能なブッシングと
を備えたリードリレー。
【請求項１０】
前記除去可能ブッシングは、その外周から前記リード保持穴に達するスリットを備えたことを特徴とする請求項９記載のリードリレー。
【請求項１１】
両端にリードを備えたリードスイッチと、
前記リードスイッチを内部に貫通させる静電シールドパイプと、
前記リードスイッチを支持するリード保持穴を備え、前記静電シールドパイプに取り付けられて、熱又は赤外線により収縮する部材で形成された収縮可能ブッシングと
を備えたリードリレー。
【請求項１２】
リードリレーにおいて、静電シールドパイプまたはコイルボビンに取り付けられ、前記静電シールドパイプ内またはコイルボビンの中空部内にリードスイッチを保持する板状のブッシングであって、
リードスイッチを保持する保持穴と、
前記ブッシングの外周から前記保持穴に達するスリットと
を備えた除去可能ブッシング。
【請求項１３】
前記除去可能ブッシングは、円盤状であることを特徴とする請求項１２に記載の除去可能ブッシング。
【請求項１４】
前記除去可能ブッシングは、除去のための取っ手を備えた請求項１２または１３に記載の除去可能ブッシング。
【請求項１５】
前記除去可能ブッシングは、さらに静電シールドパイプ内への入り込みを防ぐストッパを備えた請求項１２ないし１４のいずれかに記載の除去可能ブッシング。
【請求項１６】
前記除去可能ブッシングは、静電シールドパイプ端部外側に嵌合するためのフランジを備えた請求項１２ないし１４のいずれかに記載の除去可能ブッシング。
【請求項１７】
両端にリードを備えたリードスイッチと、前記リードスイッチを内部に貫通させる静電シールドパイプと、前記静電シールドパイプが設置される中空部を備えたコイルボビンと、前記静電シールドパイプまたは前記コイルボビンに取り付けられ、前記リードスイッチを保持するブッシングとを備えたリードリレーの実装方法において、
前記リードリレーと前記両端のリードを基板あるいは前記基板に設けられたスタッドに固定するステップと、
前記ブッシングの前記リードスイッチの保持作用を不能化するステップと
を含むリードリレー実装方法。
【請求項１８】
両端にリードを備えたリードスイッチと、前記リードスイッチの外周を略覆う静電シールドと、前記リードスイッチを内部に設置する中空部を備えたコイルボビンと、前記コイルボビンに取り付けられ、前記リードスイッチを保持するブッシングとを備えたリードリレーの実装方法において、
前記リードリレーと前記両端のリードを基板あるいは前記基板に設けられたスタッドに固定するステップと、
前記ブッシングの前記リードスイッチの保持作用を不能化するステップと
を含むリードリレー実装方法。
【請求項１９】
前記不能化するステップは、前記ブッシングに予め設けたスリットを通して、前記リードから前記ブッシングを取り外すステップを含む請求項１７または１８に記載の実装方法。
【請求項２０】
前記不能化するステップは、予め熱収縮性部材又は赤外線収縮性部材で形成した前記ブッシングに対して、熱又は赤外線を照射するステップを含む請求項１７または１８に記載の実装方法。
【発明の詳細な説明】
【技術分野】
【０００１】
本発明は、微小信号用リードリレーとその実装方法に関する。
【背景技術】
【０００２】
微小信号測定においては、その信号経路上のリレーに微小信号測定に適した低リークかつ高絶縁型のものを用いる必要がある。このようなリレーとしては特許文献1に記載のリードリレーが知られており、これを図７にリードリレー５００として示す。リードスイッチ５０１は高絶縁材料からなるブッシング５０２ａ、５０２ｂにより静電シールドパイプ５０３内に保持され、この静電シールドパイプ５０３は、コイルボビン５０４の筒状の中空内部に設置される。コイルボビン５０４と静電シールドパイプ５０３の接触部分には、コイルボビン５０４の中空部の開口端部に張り出し５０８ａ、５０８ｂを設けたことにより、空隙５０９がコイルボビン５０４の内壁と静電シールドパイプ５０３の外壁との間に形成している。これにより、コイルボビン５０４に巻装されたコイル５０５で発生したジュール熱は静電シールドパイプ５０３に伝わりにくくなる。その結果、それ以前のリードリレーでは、ジュール熱がブッシング５０２ａ、５０２ｂに伝わることによりブッシング５０２ａ、５０２ｂと静電シールドパイプ５０３間に熱刺激電流が流れ、それに起因してリレー端子５１７ａ、５１７ｂとそれぞれのブッシング５０２ａ、５０２ｂ間に流れるオフセット電流を低減することができる。しかしながら、測定技術の発展により、さらに熱刺激電流を減らしたリードリレーが求められている。
【０００３】
他方、特許文献２の第３図には、ブッシングを備えない静電シールドパイプ付きリードリレーが記載されており、これを図８にリードリレー７００として示す。すなわち、ガードパイプ２１内にリード片１付きの接点部３を通し、リード片１の両端をそれぞれスタッド９で支持している。これによればブッシングの熱刺激電流の影響を考慮しなくてすむ。しかしながら、ここでは、絶縁性能を維持する為に、ガードパイプ２１にリード片付き接点部３が接触しないことが求められる。そのため、このリードリレー７００を実装する際には、細心の注意を払って、スタッド９の高さを微調整する必要があり、作業コストが高くついてしまう。従って、リードリレー７００の実装を容易にする技術が求められている。
【０００４】
その他には、特許文献３で図６に関連して記述されているように、リードスイッチ３４を筒状導体３７内で保持する絶縁部材（ブッシング）は、異なる電位の導体間にあるために、誘電吸収の影響により、測定前に長時間のセトリング時間が必要となる事が知られている。
【０００５】
【特許文献１】特開２００１−１４９９４号公報、図５
【特許文献２】特開昭５９−７１２２７号公報、第３図
【特許文献３】特開平８−２７９３１４号公報、図６
【発明の開示】
【発明が解決しようとする課題】
【０００６】
本発明が解決しようとする課題は、リードリレーにおいて、リードを機械的に保持するブッシングによる上記の問題を回避するために、リードを保持するブッシングを備えない微小信号用リードリレーを低コストで提供すること及び低コストな実装方法を提供することである。
【０００７】
本発明が解決しようとする別の課題は、リードリレー製造時に、リードスイッチのリードを保持するブッシングを静電シールドパイプまたはコイルボビンなどに仮固定し、その後、リードリレーを基板に実装する際に、リレー本体を固定し、さらにリードを基板やスタッドなどに固定した後に、ブッシングによるリードの保持をなくす機構を備えた微小信号用リードリレー及びその実装方法及びそのブッシングを提供することである。
【０００８】
そこで本発明は、上記のような課題を解決することのできる微小信号用リードリレー及び実装方法及びブッシングを提供することを目的とする。この目的は特許請求の範囲における独立項に記載の特徴の組み合わせにより達成される。また従属項は本発明の更なる有利な具体例を規定する。
【課題を解決するための手段】
【０００９】
本発明によるリードリレーの一つの態様は、リードリレーにおいて、両端にリードを備えたリードスイッチと、リードスイッチを内部に貫通させる静電シールドパイプと、静電シールドパイプが設置される中空部を備えたコイルボビンと、静電シールドパイプまたはコイルボビンに取り付けられ、リードスイッチを支持するリード保持穴を備えたブッシングと、ブッシングのリードスイッチへの支持を不能化する不能化手段とを備えること、または、両端にリードを備えたリードスイッチと、リードスイッチの外周を略覆う静電シールドと、リードスイッチを内部に設置する中空部を備えたコイルボビンと、コイルボビンに取り付けられ、リードスイッチを支持するリード保持穴を備えたブッシングと、ブッシングのリードスイッチへの支持を不能化する不能化手段とを備える。
【００１０】
さらには、不能化手段が、ブッシングに設けられたブッシング取り外し手段を含む態様や、ブッシング取り外し手段が、ブッシングの外周からリード保持穴に達するブッシングに設けられたスリットを備えた態様や、ブッシング取り外し手段が、静電シールドパイプの長手方向外側向きにブッシングを引っ張る取っ手を備えたこ態様や、ブッシング取り外し手段が、静電シールドパイプの両開口端部に長手方向内側に向かって設けられたスリットを含む態様や、ブッシング取り外し手段が、静電シールドパイプの両開口端部の略上半分を、ブッシングの幅程度に切り込んで開くための部分的なスリットをを含む態様や、不能化手段が、リードリレーを基板に設置後に、ブッシングに熱又は赤外線を照射する照射手段であり、ブッシングは熱収縮性部材又は赤外線収縮性部材で形成されている態様も含む。
【００１１】
本発明によるリードリレーの別の態様は、両端にリードを備えたリードスイッチと、リードスイッチを内部に貫通させる静電シールドパイプと、リードスイッチを支持するリード保持穴を備え、静電シールドパイプに仮固定されて、静電シールドパイプ内から除去可能なブッシングとを備える。ここで、除去可能ブッシングは、その外周から前記リード保持穴に達するスリットを備え態様を含む。
【００１２】
本発明によるリードリレーのさらに別の態様は、両端にリードを備えたリードスイッチと、リードスイッチを内部に貫通させる静電シールドパイプと、リードスイッチを支持するリード保持穴を備え、静電シールドパイプに取り付けられて、熱又は赤外線により収縮する部材で形成された収縮可能ブッシングとを備える。
【００１３】
本発明による除去可能ブッシングの一つの態様は、リードリレーにおいて、静電シールドパイプまたはコイルボビンに取り付けられ、静電シールドパイプ内またはコイルボビンの中空部内にリードスイッチを保持する板状のブッシングであって、リードスイッチを保持する保持穴と、ブッシングの外周から前記保持穴に達するスリットとを備える。
【００１４】
この除去可能ブッシングは、円盤状である態様や、除去のための取っ手を備えた態様や、静電シールドパイプ内への入り込みを防ぐストッパを備えた態様や、静電シールドパイプ端部外側に嵌合するためのフランジを備えた態様を含む。
【００１５】
本発明によるリードリレーの実装方法の一つの態様は、両端にリードを備えたリードスイッチと、リードスイッチを内部に貫通させる静電シールドパイプと、静電シールドパイプが設置される中空部を備えたコイルボビンと、静電シールドパイプまたはコイルボビンに取り付けられ、リードスイッチを保持するブッシングとを備えたリードリレーの実装方法において、リードリレーと両端のリードを基板あるいは基板に設けられたスタッドに固定するステップと、ブッシングのリードスイッチの保持作用を不能化するステップとを含むか、あるいは、両端にリードを備えたリードスイッチと、リードスイッチの外周を略覆う静電シールドと、リードスイッチを内部に設置する中空部を備えたコイルボビンと、コイルボビンに取り付けられ、リードスイッチを保持するブッシングとを備えたリードリレーの実装方法において、リードリレーと両端のリードを基板あるいは基板に設けられたスタッドに固定するステップと、ブッシングのリードスイッチの保持作用を不能化するステップとを含む。
【００１６】
ここで、不能化するステップは、ブッシングに予め設けたスリットを通して、リードから前記ブッシングを取り外すステップを含む態様と、不能化するステップは、予め熱収縮性部材又は赤外線収縮性部材で形成したブッシングに対して、熱又は赤外線を照射するステップを含む態様を含む。
【発明の効果】
【００１７】
本発明により、リードリレーを基板に取り付ける際には、リードスイッチは、静電シールドパイプの内側あるいは外側、または、コイルボビンに取り付けられたブッシングによって、静電シールドパイプ内またはコイルボビンの中空部内で確実に支持される為、それぞれの位置関係を保ったまま容易に取り付けることができる。さらに、リードリレー及び両方のリードを基板およびそこに取り付けられたスタッドなどの部品に取り付けた後は、ブッシングを取り外すか、収縮させて静電シールドパイプ内のリードの保持作用をなくすことにより、熱を静電シールドパイプあるはコイルボビンからリードスイッチに伝える経路がなくなるので、熱刺激電流の影響と誘電吸収の影響を極めて受けにくい構造とすることができる。そのため、微小信号用途のリードリレーとしてオフセット電流およびセトリング時間が極めて小さいという利点がもたらされる。
【発明を実施するための最良の形態】
【００１８】
本発明を用いた第１の実施例であるリードリレー１００を、図１に斜視図として、図２にそのB矢視による断面図として示す。ここで、リードスイッチ１０１はスイッチ切片をガラス容器で封入しており、リードスイッチの両端にリード１１７ａおよび１１７ｂが延びている。リードリレー１００は、始めに、静電シールドパイプ１０３内に除去可能ブッシング１０２ａ，１０２ｂによってリードスイッチ１０１とその両端のリード１１７ａ，１１７ｂが保持された状態で、基板１２４上に固定される。固定の手段としては、コイルボビン１０４またはそのシールドケース１０７を半田付けするなどの既知の方法が用いられる。２本のリード１１７ａ，１１７ｂについても、既知の方法により基板に固定される。図１及び図２では、２本のリード１１７ａ，１１７ｂは、テフロン（登録商標）等の絶縁材料を台座に用いたスタッド１２０ａ，１２０ｂとにより固定された例が示されている。ここで、１２２ａ，１２２ｂはそれぞれのテフロン（登録商標）等による台座である。または、図４で別の実施例について示すように、テフロン（登録商標）スタッドを用いずにリードを曲げて基板１２４に半田付けしてもよい。
【００１９】
リードリレー１００を基板１２４に固定し終わったら、次のようにブッシング１０２ａ、１０２ｂを除去する。ブッシング１０２ａ，１０２ｂは、図１に１３０ｂとして独立して図示するように、円盤状をしたボディ１０２ｂと、そこに設けられたリード保持用の中央の保持穴１３４ｂ、外周から保持穴１３４ｂに達するスリット１３６ｂ、ブッシングを取り外すときに使用する取っ手１３２ｂを備えている。
【００２０】
ブッシングは、最初は図１及び図２に１０２ａとして示すように静電シールドパイプ１０３の開口端部にとりけられて、取っ手１３２ａだけが静電シールドパイプ１０３の外に突き出ている。次に、図１及び図２において、静電シールドパイプ１０３の右側の開口部にかぎ状の矢印Ａとして示すように、取っ手１３２ｂをリードリレー１００の長手方向外側に引っ張って、ブッシング１０２ｂを静電シールドパイプ１０３の外に引き出し、ついで、上方に引っ張ることでスリット１３６ｂを通してリードからブッシング１０２ｂを取り外す。この場合、ブッシング１０２ａ，１０２ｂは、絶縁性部材又は導電性部材のどちらでできていても構わないが、リード１１７ｂから取り外す為に、多少の可撓性を備えているか、あるいは変形容易にできていることが望ましい。
【００２１】
ここでは、ブッシングの取っ手として、上方に延伸した腕とその先端に固まりがある形状が図示されているが、ブッシングを取り外す手がかりになる形状であれば、様々な形状をとることができ、それらも本発明に含まれる。一例として、取っ手は複数個設けることができる。また、取っ手が静電シールドパイプから突き出る長さは、必要最小限に短くすることもできる。さらに、取っ手が突き出る方向は、図１のように静電シールドパイプの断面方向だけでなく、静電シールドパイプの長手方向外側向きをとることもできる。
【００２２】
以上のような構成により、リードリレー１００を基板へ取り付ける際は取り扱いが容易でありながら、取り付け後はブッシングを容易に除去できるので、ブッシングを伝わる熱による熱刺激電流の発生によるオフセット電圧の発生、及び、ブッシングに接する電位の異なる導体による誘電吸収の影響によるセトリングタイムへの影響が低減された、高性能なリードリレーを低コストで提供することができる。
【００２３】
次の第２の実施例として、図３に別の除去可能ブッシング２００を示す。これは、静電シールドパイプ１０３内に入るボディ部２０２と静電シールドパイプ１０３に入らないストッパ２０４と、ストッパ２０４の上部に突き出る取っ手２０６と、リード用の保持穴２０８と外周から保持穴に達するスリット２１０を備える。リードリレーの他の構成とブッシングの使用方法は図１及び図２と同様なので省略する。
【００２４】
このような構成にすることにより、除去可能ブッシングが静電シールドパイプ内に入り込んで取れなくなるという事態を回避することができる。
【００２５】
第３の実施例として、図９にさらに別の除去可能ブッシング２２０を示す。これは、ブッシングを静電シールドパイプ１０３の開口端外周に嵌め込むための円環状のフランジ２２４を備え、これにより、静電シールドパイプ１０３の外側にブッシングを取り付けて、リードを保持する。ブッシングのボディ２２２には、上述の実施例と同様に、リード用の保持穴２２６と外周から保持穴に達するスリット２２８を備える。リードリレーの他の構成とブッシングの使用方法は図１及び図２と同様なので省略する。
【００２６】
このように構成することにより、除去可能ブッシングが静電シールドパイプ内に入り込んで取れなくなるという事態を回避することができる。
【００２７】
さらに、第４の実施例として、図１０の（Ａ）にさらに別の除去可能ブッシング１５４を用いたリードリレー８００を示し、ここのＦ矢視図を図１０の（Ｂ）に示す。ブッシング１５４は２本の足１５２ａ、１５２ｂを備え、これらの先をコイルボビンに設けられた穴１５６ａ、１５６ｂに差し込むことで、静電シールドパイプ１０３の外でリード１１７ｂを保持する。図１０の（Ｂ）に示されるように、ブッシング１５４にはリード用の保持穴１６０と、外周から保持穴へ達するスリット１６２を備え、好ましくは円盤形状である必要はない。
【００２８】
また、第４の実施例の変形として、上下のシールドケース１０７の端部を延伸し、その間にリードを保持するブッシングを取り付けることもできる。
【００２９】
また、本発明では、ブッシングは単にシールドパイプから除去される場合に限らず、ブッシングのリードと静電シールドパイプを機械的に支持する作用がなくなること、すなわち不活性化させることによっても、本発明の目的を達成することができる。
【００３０】
第５の実施例によるリードリレー３００を、図４（Ａ）に断面図を示す。ここでは、リードの両端３１７ａ，３１８ｂが、曲げられて基板３２４に半田付けされた例が示されているが、図１同様に、スタッドに固定されていても構わない。
【００３１】
リードリレー３００では、ブッシングは３０２ａとして除去前の形で示してあるように、円盤状の形状で静電シールドパイプ１０３内でリード３１７ａを支持している。ブッシング３０２ａは、熱収縮性又は赤外線収縮性の部材で形成される。リードリレー３００を基板３２４に固定し終わったら、ドライヤなどの熱源３３０あるいは赤外線源による放射３３２により、静電シールドパイプ１０３に右開口部に３０２ｂとして示されるように収縮される。この時、例え一部分が静電シールドパイプ１０３の内壁に残ったとしても、静電シールドパイプ１０３とリード３１７ｂとの間が分断される。言い換えると、ブッシング３０２ｂは、リードを静電シールドパイプ内部に保持するという機械的支持作用を失う。その結果、このブッシング３０２ｂを伝って熱刺激電流が流れることはない。また、ブッシングが絶縁性の誘電体でできていたとしても、この状態では、電位の異なる２つの導体に接続されているわけではないので、誘電吸収による影響を受ける心配もない。
【００３２】
なお、図４（Ａ）のブッシング３１７ｂは、ブッシングを形成する円板の中央に向かって収縮した場合を示したが、熱あるいは赤外線の放射の仕方によっては、図４（Ｂ）のブッシング３０２ｃのように、円板の外周に張り付くように収縮する場合も考えられる。例えば、図４（Ａ）のブッシング３１７ｂは、ブッシングの全体に向けて熱あるいは赤外線を放射した場合、または、静電シールドパイプ１０３周辺に熱あるいは赤外線を放射した場合の結果であり、図４（Ｂ）のブッシング３１７ｃは、リード３１７ｂの周辺に熱あるいは赤外線を放射した場合の結果として期待される。
【００３３】
ここで、熱あるいは赤外線収縮材料としては、三菱樹脂社製のヒシチューブなどに代表される熱収縮チューブに用いられている塩化ビニール系材料、または、シリコン系材料、あるいは、発泡スチロールなどを使用することができる。
【００３４】
第６の実施例として、図５にリードリレー４００の斜視図を示す。ここでは、ブッシングは４０２ｂとして示すように、円盤状のボディ４０２ｂはリードの保持穴４０８ｂと外周から保持穴に達するスリット４１０ｂを備える。また、静電シールドパイプ４０３は、開口端からのスリット４０６ａ，４０６ｂを備える。このスリットの長さは、様々な長さをとることができるが、一態様として、ブッシンブ４０２ｂの厚さよりも若干長い場合を例に説明する。リードリレー４００が基板１２４に固定された後、ブッシングが静電シールドパイプ内にある場合に、針４３０などを、矢印Ｃとして示されるように、スリット４０６ａに差し込み、ブッシングを裏から押す。あるいは、スリット４０６ａ，４０６ｂから除いているブッシングの側面を、針４３０で、静電シールドパイプの長手方向外側に押す。すると、ブッシング４０２ｂについて矢印Ｄに示したように、静電シールドパイプ４０３及びリード１１７ａ，１１７ｂから取り外すことができる。
【００３５】
ブッシングを取り外した後で、スリット４０６ａ，４０６ｂによる耐ノイズ性能の劣化が心配される場合には、このスリットを半田付けしてふさぐことで、耐ノイズ性能劣化を防ぐことができる。
【００３６】
第７の実施例として、図６の（Ａ）ないし（Ｃ）として、リードリレーに使われる静電シールドパイプ６０３を示す。この実施例で使われるブッシングは、図５に示したのと同じブッシング４０２ｂである。図６（Ａ）に示すように、静電シールドパイプ６０３の開口端上半分にＴ字型のミシン目のスリット６１０を入れ、切削が容易なようにしておく。次に図６（Ｂ）に示すように、このＴ字型のスリット６１０に沿って切込みを入れ、静電シールドパイプ開口端を２枚の舌６３０ａ、６３０ｂとして開き、ブッシング４０２ｂと矢印Ｅのように引っ張り出す。Ｔ字型のスリット６１０と切り開くときも、ブッシング４０２ｂを引っ張り出すときも、上方から作業するので、リードリレーを基板に固定した後であっても作業は容易である。舌６３０ａ，６３０ｂの幅は、ブッシングの厚みより少し長い方が、取り出しが容易になるので望ましい。ブッシング除去後は、図６（Ｃ）のように２枚の舌を取り去ってもよいし、図６（Ａ）の最初の状態のように、舌６３０ａ，６３０ｂを元のように戻して半田付けすることもできる。
【００３７】
なお、以上に述べた実施例では、静電シールドパイプをパイプとして示したが、コイルボビンの中空部内壁に導電性の塗料を塗布するなどによりガードを設け、等価の効果を得るようにしたものも、本発明に含まれることは言うまでもない。また、本発明では、効果の程度によっては必ずしも静電シールドパイプはコイルボビンより突き出ている必要はなく、静電シールドパイプの端部がコイルボビン表面と同一面で切られているなど、様々な改変が考えられる。
【００３８】
第８の実施例として、図１１に静電シールドパイプを用いないで等価な効果をもたらすリードリレー９００を示す。この実施例では、リードスイッチ１０１のガラス封入容器の外周は、リード１１７ａ，１１７ｂには触れないように導電膜による静電シールド９０２により略覆われている。コイルボビン１０４の中空部に取り付けられた、図１に１３０ｂとして説明されたブッシング１３２ａ、１３２ｂにより、静電シールド９０２を備えたリードスイッチ１０１はコイルボビン１０４の中空部に保持される。リードリレー９００を基板１２４に固定し、リード１１７ａ，１１７ｂをスタッド１２０ａ，１２０ｂに固定した後、ブッシング１０２ａ，１０２ｂの取っ手１３２ａ，１３２ｂを引っ張り、矢印ＧのようにＬ字状に引き出すことで、ブッシングをリード１１７ａ，１１７ｂから取り外し、リードリレー９００の実装を完了する。
【００３９】
なお、第８の実施例については、ブッシング１０２ａ，１０２ｂの代わりに、図３に示したブッシング２００を用いることもできる。また、静電シールド９０２は、リードスイッチのガラス封入容器表面に導電性塗料を塗布することや、容器表面に金属線を巻きつけることによっても形成される。
【００４０】
また、以上に説明した、各実施例中の静電シールドパイプ１０３、４０３、６０３、あるいは静電シールド９０２は、リードリレーの実装後の使用においては不図示の接続線により、ガード電位に接続される。ここで、ガード電位は、アクティブガードによる電位であることが望ましい。
【００４１】
以上のように、本発明に基づく実施例を説明したが、本発明の思想に基づき様々な変形及び変更を施すことができることは、当業者には容易に理解されよう。例えば、各実施例に使われるコイルボビンとして、特許文献１に記載の各種の熱伝導を低減するコイルボビンと用いることにより、さらに熱による影響を受けにくいリードリレーを構成することもできる。また、本発明は、筐体内に１本のリードスイッチだけを収容した単装のリードリレーに適用できるだけでなく、２本以上の複数のリードスイッチをその筐体収容したリードリレーに適用できる。また、複数のリードスイッチを収容したリードリレーの場合、そのスイッチングの動作も、複数本のリードスイッチが全て同時にメイクあるいはブレーク動作するもの、あるいは、一部がメイクし残りがブレイクするリードリレーにも適用することもできる。
【図面の簡単な説明】
【００４２】
【図１】本発明による第１の実施例のリードリレーの構造を示す斜視図である。
【図２】図１のＢ矢視による断面を示す断面図である。
【図３】本発明による第２の実施例を示す部分概念図である。
【図４】本発明による第５の実施例を示す断面図である。
【図５】本発明による第６の実施例を示す斜視図である。
【図６】本発明による第７の実施例を示す部分概念図である。
【図７】従来のリードリレーの構造を示す断面図である。
【図８】従来の別のリードリレーの構造を示す断面図である。
【図９】本発明による第３の実施例を示す部分概念図である。
【図１０】本発明による第４の実施例を示す部分概念図である。
【図１１】本発明による第８の実施例を示す断面図である。
【符号の説明】
【００４３】
１００  リードリレー
１０１  リードスイッチ
１０２ａ，１０２ｂ  除去可能ブッシング
１０３  静電シールドパイプ
１０４  コイルボビン
１０７  シールドケース
１１７ａ，１１７ｂ  リード
１２０ａ，１２０ｂ  テフロン（登録商標）スタッド
１２２ａ，１２２ｂ  テフロン（登録商標）スタッドのテフロン（登録商標）台座
１２４  基板
１３０ｂ  除去可能ブッシング
１３２ａ，１３２ｂ  取っ手
１３４ｂ  リード保持穴
１３６ｂ  スリット
【図１】
2005243551.tif 000003
【図２】
2005243551.tif 000004
【図３】
2005243551.tif 000005
【図４】
2005243551.tif 000006
【図５】
2005243551.tif 000007
【図６】
2005243551.tif 000008
【図７】
2005243551.tif 000009
【図８】
2005243551.tif 000010
【図９】
2005243551.tif 000011
【図１０】
2005243551.tif 000012
【図１１】
2005243551.tif 000013